(57)【要約】      （修正有）【課題】ジョイントピンと楔との間を連結する金属製ワイヤ同士の絡みを防止し、作業効率を高めることができるコンクリート型枠連結金具の提供。【解決手段】両コンクリート型枠パネル相互間の連結部に挿通するジョイントピン３と、ジョイントピン３の先端に備えたスリット孔４に圧入して両コンクリート型枠パネル相互間を連結固定する楔５とからなり、ジョイントピン３と楔５との間を細い金属製ワイヤ６で連結した構造のコンクリート型枠連結金具において、金属製ワイヤ６の外面にメラミン樹脂７をコーティングした構造。【選択図】図１
0003198553.tif 000002
【実用新案登録請求の範囲】
【請求項１】
両コンクリート型枠パネル相互間の連結部に挿通するピンと、ピンの先端に備えたスリット孔に圧入して両コンクリート型枠パネル相互間を連結固定する楔とからなり、ピンと楔との間を細い金属製ワイヤで連結した構造のコンクリート型枠連結金具であって、
前記金属製ワイヤの外面に合成樹脂をコーティングしてなることを特徴とするコンクリート型枠連結金具。
【請求項２】
請求項１記載のコンクリート型枠連結金具において、
前記合繊樹脂がポリアミド樹脂であることを特徴とするコンクリート型枠連結金具。
【請求項３】
請求項１又は２に記載のコンクリート型枠連結金具において、
前記ピンが、ジョイントピンであることを特徴とするコンクリート型枠連結金具。
【請求項４】
請求項１又は２に記載のコンクリート型枠連結金具において、
前記ピンが、ロックピンであることを特徴とするコンクリート型枠連結金具。
【考案の詳細な説明】
【技術分野】
【０００１】
本考案は、コンクリート型枠連結金具に関する。
【背景技術】
【０００２】
従来、コンクリート型枠連結金具としては、両コンクリート型枠パネル相互間の連結部に挿通するジョイントピンと、ジョイントピンの先端に備えたスリット孔に圧入して両コンクリート型枠パネル相互間を連結固定する楔とからなり、ジョイントピンと楔との間を細い金属製ワイヤで連結した構造のものが知られている。
【先行技術文献】
【特許文献】
【０００３】
【特許文献１】実開２００３−４１７７１号公報
【特許文献２】特許第５３３７３２２号公報
【考案の概要】
【考案が解決しようとする課題】
【０００４】
従来例のコンクリート型枠連結金具にあっては、ジョイントピンと楔との間を細い金属製ワイヤで連結した構造とすることで、コンクリート型枠の組み付け作業における作業性を高めることができると共に、作業中の部品の落下を防止することができるという利点がある。
しかしながら、その反面、多数の連結金具を用いるコンクリート型枠組み付け作業において、ワイヤ同士が絡み易く、絡みを解く作業が面倒で作業効率を悪化させる原因となっていた。
【０００５】
本考案の解決しようとする課題は、ワイヤ同士の絡みを防止し、作業効率を高めることができるコンクリート型枠連結金具を提供することにある。
【課題を解決するための手段】
【０００６】
上記課題を解決するため請求項１記載のコンクリート型枠連結金具は、両コンクリート型枠パネル相互間の連結部に挿通するピンと、ピンの先端に備えたスリット孔に圧入して両コンクリート型枠パネル相互間を連結固定する楔とからなり、ピンと楔との間を細い金属製ワイヤで連結した構造のコンクリート型枠連結金具であって、
前記金属製ワイヤの外面に合成樹脂をコーティングしてなることを特徴とする手段とした。
【０００７】
また、請求項２記載のコンクリート型枠連結金具は、請求項１記載のコンクリート型枠連結金具において、
前記合繊樹脂がポリアミド樹脂であることを特徴とする手段とした。
【０００８】
また、請求項３記載のコンクリート型枠連結金具は、請求項１又は２に記載のコンクリート型枠連結金具において、
前記ピンが、ジョイントピンであることを特徴とする手段とした。
【０００９】
また、請求項４記載のコンクリート型枠連結金具は、請求項１又は２に記載のコンクリート型枠連結金具において、
前記ピンが、ロックピンであることを特徴とする手段とした。
【考案の効果】
【００１０】
請求項１記載のコンクリート型枠連結金具では、上述のように、金属製ワイヤの外面に合成樹脂をコーティングした構成としたことで、金属性ワイヤの曲がりが抑制され、これにより、ワイヤ同士の絡みを防止することができる。
従って、コンクリート型枠の組み付け作業効率を高めることができるようになる。
【００１１】
請求項２記載のコンクリート型枠連結金具では、上述のように、コーティングする合繊樹脂として優れた強靭性、柔軟性、耐衝撃性ポリアミド樹脂を用いることで、
耐久性を高めることができ、これにより、ワイヤ同士の絡み防止効果を長く維持させることができるようになる。
【図面の簡単な説明】
【００１２】
【図１】実施例１のジョイントピンを用いたコンクリート型枠連結金具を示す斜視図である。
【図２】図１のＡ−Ａ線における拡大断面図である。
【図３】実施例１のジョイントピンを用いたコンクリート型枠連結金具の使用状態を示す断面図である。
【図４】実施例２のロックピンを用いたコンクリート型枠連結金具を示す斜視図である。
【図５】実施例２のロックピンを用いたコンクリート型枠連結金具の使用状態を示す断面図である。
【考案を実施するための形態】
【００１３】
以下にこの考案の実施例を説明する。
【実施例１】
【００１４】
まず、この実施例１のコンクリート型枠連結金具を図面に基づいて説明する。
なお、この実施例１では、ジョイントピンを用いたコンクリート型枠連結金具について説明する。
【００１５】
このコンクリート型枠連結金具は、図１〜３に示すように、アルミ製スラブ型枠１とアルミ桟木受体２との間の連結部に挿通するジョイントピン３と、ジョイントピン３の先端に備えたスリット孔４に圧入してアルミ製スラブ型枠１とアルミ桟木受体２との間を連結固定する楔５とからなり、ジョイントピン３と楔５との間を細い金属製ワイヤ６で連結した構造のコンクリート型枠連結金具において、金属製ワイヤ６の外面にメラミン樹脂（合成樹脂）７をコーティングした構造である。
【００１６】
前記アルミ桟木受体２は、桟木８を上方から係合載置可能な断面Ｌ字状をなしている。
【００１７】
また、図３において、９は木製スラブ型枠パネル、１０は施工予定のコンクリート構造物における各側壁の取り合い型枠であり、この取り合い型枠１０と棧木８との間に木製スラブ型枠パネル１０を敷設するようになっている。
【００１８】
次に、実施例１の作用・効果を説明する。
この実施例１では、上述のように、金属製ワイヤ６の外面に合成樹脂をコーティングした構成としたことで、金属性ワイヤ６の曲がりが抑制され、これにより、ワイヤ同士の絡みを防止することができる。
また、コーティングする合繊樹脂として優れた強靭性、柔軟性、耐衝撃性ポリアミド樹脂を用いることで、耐久性を高めることができ、これにより、ワイヤ同士の絡み防止効果を長く維持させることができるようになる。
従って、コンクリート型枠の組み付け作業効率を高めることができるようになる。
【００１９】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２０】
この実施例２は、図４、５に示すように、ロックジョイントピン１１を用いた例を示すものである。
この実施例２のコンクリート型枠連結金具は、両ジョイントバー１１、１１相互間の連結部に挿通するロックピン１２と、ロックピン１２の先端に備えたスリット孔１３に圧入する楔１４と、ロックピン１２と楔１４との間を金属製ワイヤ６で連結した構造であり、図２に示すように、金属製ワイヤ６の外面にメラミン樹脂（合成樹脂）７をコーティングしたものである。
【００２１】
なお、図５において、１５は支保工支柱、１６は支柱上支持体を示す。
この実施例２のコンクリート型枠連結金具によれば、支柱上支持体１５の両端又は一方端に支柱間支持体１を容易かつ迅速に接続固定することができる。
以上詳細に説明したように、この実施例２のコンクリート型枠連結金具によれば上記実施例１と同様の効果が得られる
【００２２】
以上本実施例を説明してきたが、本考案は上述の実施例に限られるものではなく、本考案の要旨を逸脱しない範囲の設計変更等があっても、本考案に含まれる。
【００２３】
例えば、実施例では、メラミン樹脂を用いたが、その他、合成樹脂を用いることができる。
【符号の説明】
【００２４】
１  アルミ製スラブ型枠パネル
２  アルミ棧木受体
３  ジョイントピン
４  圧入孔
５  楔
６  金属製ワイヤ
７  メラミン樹脂（合成樹脂）
８  棧木
９  木製スラブ型枠パネル
１０  取り合い型枠
１１  ジョイントバー
１２  ロックピン
１３  圧入孔
１４  楔
１５  支保工支柱
１６  支柱上支持体
【図１】
0003198553.tif 000003
【図２】
0003198553.tif 000004
【図３】
0003198553.tif 000005
【図４】
0003198553.tif 000006
【図５】
0003198553.tif 000007